(57)【要約】【課題】駒をセラミックあるいは超硬金属から形成し、外観に優れ、加工が容易で組付けが確実な駒連結構造のバンドを提供する。【解決手段】複数の外駒２と内駒１とを互い違いに配置し、隣接する外駒２と内駒１とをそれぞれ連結軸３にて連結する駒連結構造のバンドであって、外駒２を、断面略Ｃ状の管体４を２本収納した有底の内キャップ体５と、該内キャップ体５の開口側を覆い、管体４に対応させて２つの通孔６ａを有し、かつ前記内キャップ体５の一部に係止する係止体６と、内キャップ体５に係止体６を係止したユニット体の状態で該ユニット体を内部に収納して固定する外キャップ体７とから構成する。そして内駒１の両側に、それぞれ外駒２を配し、内駒１の貫通孔１ａに連結軸３を遊嵌し、該連結軸３の両端部をそれぞれ外駒２の内キャップ体５における通孔５ｂを通して管体４に嵌着させる。【選択図】図１
2009039541.tif 000002
【特許請求の範囲】
【請求項１】
複数の外駒と内駒とが互い違いに配置され、隣接する前記外駒と前記内駒とがそれぞれ連結軸にて連結されて構成される駒連結構造のバンドであって、
前記外駒を、内部に断面略Ｃ状の管体を２本収納した有底の内キャップ体と、該内キャップ体の開口側を覆い、前記管体に対応させて２つの通孔を有し、かつ前記内キャップ体の一部に係止する係止体と、前記内キャップ体に前記係止体を係止したユニット体の状態で、該ユニット体を内部に収納して固定する外キャップ体とから構成し、
前記内駒を、２つの貫通孔を有するブロック体から構成し、
前記内駒の両側に、それぞれ前記外駒を配し、前記内駒の貫通孔に前記連結軸を遊嵌し、該連結軸の両端部をそれぞれ前記外駒における前記内キャップ体の前記通孔を通して前記管体に嵌着させたことを特徴とする駒連結構造のバンド。
【請求項２】
前記外キャップ体の外側には前記連結軸の端部あるいは端面を露出させないことを特徴とする請求項１記載の駒連結構造のバンド。
【請求項３】
少なくとも前記外キャップ体あるいは前記内駒の一方をセラミックあるいは超硬金属により形成したことを特徴とする請求項１または２記載の駒連結構造のバンド。
【請求項４】
前記係止体がプラスチック材であることを特徴とする請求項１記載の駒連結構造のバンド。
【請求項５】
前記係止体を前記内駒側に配したことを特徴とする請求項１または４記載の駒連結構造のバンド。
【発明の詳細な説明】
【技術分野】
【０００１】  本発明は、時計バンドや装飾品用のバンドに適用され、複数の外駒と内駒とが互い違いに配置され、隣接する前記外駒と前記内駒とがそれぞれ連結軸にて連結されて構成される駒連結構造のバンドに係り、特に駒材料としてセラミックあるいは超硬金属を使用できるバンド構造に関する。
【背景技術】
【０００２】  従来、前記のような駒連結構造のバンドにおいて、一般的な金属材料あるいはプラスチック材料からなる駒構造のものでは、複数の駒同士の連結は、駒に形成した貫通孔に連結軸，バネ棒，ネジ棒などを嵌入、あるいは螺合することにより行っていた（特許文献１〜３参照）。【０００３】  また、バンドの外観が良くて高級感を出すため、外駒に有底孔を形成し、内駒に設けた連結軸の端部を前記有底孔に嵌合させて、貫通孔の端面が外駒の外側に露出しないようにしたり、連結軸の露出端面と外駒外側面との境目が分らないようにするため、露出端面と外側面とを一体的に削ったりする加工を施すこともあった。【０００４】  一般的な硬度の金属材あるいはプラスチック材を駒材料に使用するものでは、多種多様の形状，構造のものが比較的容易に製作することができるため、前記のような各種加工あるいは組付けを容易に行うことができる。【０００５】  近年、セラミックあるいは超硬金属を、高級時計用のバンドあるいは装飾品のバンドとして使用する要望が大きくなってきている。
【特許文献１】実開平５−７４３０９号公報
【特許文献２】実開平６−３１１２号公報
【特許文献３】実開平６−３１１３号公報
【特許文献４】特開平１０−２９０７０２号公報
【特許文献５】特開２００１−１９７９１１号公報
【発明の開示】
【発明が解決しようとする課題】
【０００６】  セラミックあるいは超硬金属の装身具への利用、特に、高級品とされる時計などの技術分野にて、バンドにセラミックあるいは超硬金属を用いることは、これらセラミックや超硬金属が有する独特の質感、あるいは錆びにくく、劣化しにくい特性が、高級品としての要求に合致したものとなる。【０００７】  ところが、セラミックあるいは超硬金属をバンドの駒の材料として用いることの技術的課題の一つに、その加工性の問題がある。すなわち、セラミックあるいは超硬金属は細かな加工がしにくいということである。外形成型されたセラミックあるいは超硬金属に対して、クラックなどを生ぜずに小さな孔やエッジの付いた溝などを加工することは容易ではない。【０００８】  時計バンドの駒は、一般装身具の中でも個々のパーツが小さく、小さくなればなる程、保持部分の加工が難しい。【０００９】  そこで、特許文献４，５に記載されているように、セラミックあるいは超硬金属からなるバンド用の駒に対しては、簡単な加工および連結構造にてバンドを構成することができるように、各種の工夫が従来から実施されてきている。しかしながら、未だ、外観上の問題、駒の連結構造の信頼性など充分課題が解決されているとはいえない。【００１０】  そこで本発明は、駒をセラミックあるいは超硬金属から形成しても、外観に優れ、加工が容易で組付けが確実な駒連結構造のバンドを提供することを目的とする。
【課題を解決するための手段】
【００１１】  前記目的に鑑み、本発明の駒連結構造のバンドは、複数の外駒と内駒とが互い違いに配置され、隣接する前記外駒と前記内駒とがそれぞれ連結軸にて連結されて構成される駒連結構造のバンドであって、前記外駒を、内部に断面略Ｃ状の管体を２本収納した有底の内キャップ体と、該内キャップ体の開口側を覆い、前記管体に対応させて２つの通孔を有し、かつ前記内キャップ体の一部に係止する係止体と、前記内キャップ体に前記係止体を係止したユニット体の状態で、該ユニット体を内部に収納して固定する外キャップ体とから構成し、前記内駒を、２つの貫通孔を有するブロック体から構成し、前記内駒の両側に、それぞれ前記外駒を配し、前記内駒の貫通孔に前記連結軸を遊嵌し、該連結軸の両端部をそれぞれ前記外駒における前記内キャップ体の前記通孔を通して前記管体に嵌着させたことを特徴とする。【００１２】  また、前記外キャップ体の外側には前記連結軸の端部あるいは端面を露出させないことを特徴とする。【００１３】  また、少なくとも前記外キャップ体あるいは前記内駒の一方をセラミックあるいは超硬金属により形成したことを特徴とする。【００１４】  また、前記係止体がプラスチック材であることを特徴とする。【００１５】  また、前記係止体を前記内駒側に配したことを特徴とする。
【発明の効果】
【００１６】  本発明によれば、外駒の外キャップ体または内駒、あるいは両方を、セラミック，超硬金属あるいはゴールドなどの外観的に無垢感のあるブロック状のものにしても、外駒を断面略Ｃ状の管体，内キャップ体，係止体、および外キャップ体からなるユニット体とすることにより、内駒には貫通孔を形成するのみで、連結軸によって内駒と外駒とを簡単に連結することができる。【００１７】  また、外駒の係止体を内駒側に配した場合、係止体の一部が内駒間の隙間から見える場合が考えられるが、この場合、係止体がプラスチック製であれば、駒の外形色に合せたものに容易にすることができ、外観の低下，劣化を防ぐことができる。【００１８】  このようなセラミックあるいは超硬金属が駒となる駒連結構造のバンドは、特に、ユーザの腕などに直接的に触れる時計バンド，装身具に実施して効果が顕著である。
【発明を実施するための最良の形態】
【００１９】  以下に、本発明の好適な実施の形態を図面に基づいて説明する。
図１は本発明の好適な実施の形態である駒連結構造のバンドを構成する主要部材を示す分解斜視図である。【００２０】  図１において、１は、セラミックあるいは超硬金属のブロック状のものからなり、一対の貫通孔１ａが形成された複数（ここでは２つを示している）の内駒、２は組立て前の外駒、３は本例ではステンレスなどの金属製の連結軸である。【００２１】  また、内駒１の両側に配される外駒２は、断面略Ｃ状をなし、一部に切欠き部を有する一対の管体４と、ステンレスなどの金属製からなる有底の内キャップ体５と、該内キャップ体５の開口側を覆い、一対の管体４に対応させて２つの通孔６ａを有し、かつ内キャップ体５の凹部５ａに一対の爪部６ｂが係止するプラスチック製の係止体６と、外キャップ体７とからなり、後述するように、内キャップ体５に係止体６を係止することでユニット体とし、該ユニット体を外キャップ体７内部に収納して外駒２としている。【００２２】  次に、各部材の組付け、およびその工程にてについて説明する。【００２３】  図２は前記内キャップ体と前記管体との組付けを説明するための斜視図であり、左図が組付け前、右図が組付け後を示す図であって、内キャップ体５に形成されている一対の有底孔５ｂの開口に、それぞれ管体４を挿入して組付体Ａとする。【００２４】  図３は前記組付体Ａと係止体との組付けを説明するための斜視図であり、左図が組付け前、右図が組付け後を示す図であって、係止体６自体の弾性を利用して爪部６ｂを撓めて、爪体６ｂを組付体Ａにおける内キャップ体５の凹部５ａに嵌めることによって組付体Ｂとする。【００２５】  図４は前記組付体Ｂと前記外キャップ体との組付けを説明するための斜視図であり、左図が組付け前、右図が組付け後を示す図であって、外キャップ体７の有底収納部７ａに組付体Ｂを収納し、組付体Ｂの内キャップ体５と有底収納部７ａとを適宜接合させることにより固定して組付体Ｃ（外駒２）とする。【００２６】  図５は前記組付体Ｃ（外駒２）と前記連結軸との組付けを説明するための斜視図であり、左図が組付け前、右図が組付け後を示す図であって、連結軸３の一端部の小径部３ａを組付体Ｃの係止体６の通孔６ａに挿入すると、小径部３ａは内部に設置されている断面略Ｃ状の管体４に嵌合し、容易には抜けない（組付体Ｄとする）。【００２７】  図６〜図８は他方の外駒２を構成する管体４と内キャップ体５と係止体６と外キャップ体７の組付け工程を説明するための斜視図であって、図６〜図８に示す工程は図２〜図４にて説明した一方の外駒２に関する組付工程と同様であって、ここでは図２〜図４にて説明した部材と同一部材には同一符号を付すことで、組付けの説明は省略する。前記組付体Ａ，Ｂ，Ｃを順次組み付けることによって、他方の外駒２とする。【００２８】  図９〜図１１は上述したようにして完成した一方の外駒２からなる組付体Ｄと、一対の内駒１と、他方の外駒２とによる最終組立ての説明図であって、図９に示すように、一対の内駒１の両側に、一方の外駒２からなる組付体Ｄと他方の外駒２とをセットする。図では、２つの内駒１と両側の２つの外駒２のみを示しているが、実際のバンドとしては、所定のバンド長さに必要な駒数の内駒１と外駒２とをセットすることになる。【００２９】  そして、図１０に示すように、一方の外駒２からなる組付体Ｄにおける連結軸３を内駒１の貫通孔１ａに遊嵌し、連結軸３の他端部の小径部３ａを内駒１から延出させる。【００３０】  その後、図１１に示すように、連結軸３の他端部の小径部３ａを、他方の外駒（前記組付体Ｃ）の係止体６の通孔６ａに挿入する。すると、小径部３ａは内部に設置されている断面略Ｃ状の管体４に嵌合し、容易には抜けない状態となる。【００３１】  これにより、バンドにおける１つの駒連結が完成する。既述したが、実際のバンドとしては、バンド長さに必要な駒数の内駒１と外駒２のセットにおいて、同じ連結作業が行われる。【００３２】  図１２に連結完了後の内駒１と外駒２の平面図を示す。【００３３】  なお、前記各部材における要素部材における数あるいは形状などは、前記実施の形態の構成に限定されない。【００３４】  また、本バンドの使用用途についても、時計バンドなどにおけるバンドは無論のこと、各種宝飾品，装身具の駒部品として用いることもできる。【００３５】  上述したように、本実施の形態によれば、セラミックあるいは超硬金属からなる駒を、容易かつ確実に連結することができ、セラミックあるいは超硬金属を部品として使用したバンドとして、コスト的に有利で、かつ装飾性に優れたものとなる。
【産業上の利用可能性】
【００３６】  本発明は、装身具などのバンド類において、連結する部材をセラミックあるいは超硬金属にて構成するものに有効であり、さらには身体に着ける各種のバンドに適用され、また多様な意匠展開を図ることも可能である。
【図面の簡単な説明】
【００３７】
【図１】本発明の好適な実施の形態である駒連結構造のバンドを構成する主要部材を示す分解斜視図である。
【図２】本実施形態における一方の外駒における内キャップ体と管体との組付けを説明するための斜視図である。
【図３】本実施形態における一方の外駒における組付体Ａと係止体との組付けを説明するための斜視図である。
【図４】本実施形態における一方の外駒における組付体Ｂと外キャップ体との組付けを説明するための斜視図である。
【図５】本実施形態における一方の外駒における組付体Ｃと連結軸との組付けを説明するための斜視図である。
【図６】本実施形態における他方の外駒における内キャップ体と管体との組付けを説明するための斜視図である。
【図７】本実施形態における他方の外駒における組付体Ａと係止体との組付けを説明するための斜視図である。
【図８】本実施形態における他方の外駒における組付体Ｂと外キャップ体との組付けを説明するための斜視図である。
【図９】本実施形態における内駒と外駒との最終組立て（第１工程）の説明図である。
【図１０】本実施形態における内駒と外駒との最終組立て（第２工程）の説明図である。
【図１１】本実施形態における内駒と外駒との最終組立て（第３工程）の説明図である。
【図１２】本実施形態における連結完了後の内駒と外駒の平面図である。
【符号の説明】
【００３８】１  内駒
１ａ  貫通孔
２  外駒
３  連結軸
４  断面略Ｃ状の管体
５  内キャップ体
５ａ  凹部
６  係止体
６ａ  通孔
６ｂ  爪部
７  外キャップ体
【図１】
2009039541.tif 000003
【図２】
2009039541.tif 000004
【図３】
2009039541.tif 000005
【図４】
2009039541.tif 000006
【図５】
2009039541.tif 000007
【図６】
2009039541.tif 000008
【図７】
2009039541.tif 000009
【図８】
2009039541.tif 000010
【図９】
2009039541.tif 000011
【図１０】
2009039541.tif 000012
【図１１】
2009039541.tif 000013
【図１２】
2009039541.tif 000014